(57)【要約】      （修正有）【課題】オーラを効果的に活用する、高機能オーラ集結コリメーターを提供する。【解決手段】発熱ユニット３と、オーラ発生部品５と、オーラ集結視準ユニット６とからなる。オーラ集結視準ユニットは、多辺形の角錐状体をなすとともに、鈍端にオーラ吸入面が設けられ、対応する尖端にオーラ射出面が設けられる。オーラ吸入面とオーラ射出面の間には、徐々に細くなる形状のオーラ圧縮錐面が設けられる。オーラ圧縮錐面は、吸収したオーラの圧縮・強化を助ける。オーラ圧縮錐面におけるオーラ吸入面に近い位置には、オーラ誘導曲面が設けられることにより、オーラの誘導・集結を助け、オーラ集結の効果を高める。発熱ユニットがオーラ発生部品を加熱した後、オーラ集結視準ユニットから生じたオーラエネルギーを吸収・圧縮するとともにオーラ射出面に集めてから射出する。【選択図】図２
0003198219.tif 000002
【実用新案登録請求の範囲】
【請求項１】
本体と、固定ユニットと、制御ユニットと、電源接続台と、オーラ集結視準ユニットとからなる高機能オーラ集結コリメーターであって、
前記本体は、一端に開口が設けられ、前記本体における前記開口の他端には発熱ユニットが設けられ、前記発熱ユニットは発熱部品を有し
前記固定ユニットは、前記発熱部品一端に設けられるとともに、前記固定ユニットには天然鉱石固定台が設けられ、
前記天然鉱石固定台内には、オーラ発生部品を固定するためのオーラ発生部品固定台が設けられ、
前記制御ユニットは、前記本体上に設けられるとともに、前記発熱ユニットと電気的に接続され、
前記電源接続台は、前記本体上に設けられるとともに、前記制御ユニットと電気的に接続され、
前記オーラ集結視準ユニットは、前記本体内に収容されるとともに、多辺形の角錐状体をなし、且つ前記オーラ集結視準ユニットは、鈍端に設けられた平面状のオーラ吸入面と、対応する尖端に設けられた平面状のオーラ射出面を有し、
前記オーラ吸入面は、前記開口と対応する位置に設けられ、
前記オーラ射出面は、前記オーラ発生部品と対応する位置に設けられ、
更に前記オーラ集結視準ユニットは、前記オーラ吸入面と前記オーラ射出面の間に、徐々に細くなる形状のオーラ圧縮錐面が設けられ、
前記オーラ圧縮錐面における前記オーラ吸入面に近い位置には、オーラ誘導曲面が設けられることを特徴とする、高機能オーラ集結コリメーター。
【請求項２】
前記発熱ユニットは、メインＰＣＢ板を有し、
前記メインＰＣＢ板は、前記発熱部品と電気的に接続され、
前記メインＰＣＢ板と前記発熱部品の間には、少なくとも一つのガスケットが設けられることを特徴とする、請求項１に記載の高機能オーラ集結コリメーター。
【請求項３】
前記制御ユニットは、制御部品ＰＣＢ板と、前記本体外側に設けられた制御部品とからなり、
前記制御部品ＰＣＢ板と前記メインＰＣＢ板は、電気的に接続され、
前記制御部品は、プッシュボタン・調整ツマミの中のいずれか一つであることを特徴とする、請求項２に記載の高機能オーラ集結コリメーター。
【請求項４】
前記オーラ発生部品は、天然鉱石が統合されてなるディスク状体であることを特徴とする、請求項１に記載の高機能オーラ集結コリメーター。
【請求項５】
前記電源接続台は、ＤＣプラグ差込口であることを特徴とする、請求項１に記載の高機能オーラ集結コリメーター。
【請求項６】
前記オーラ集結視準ユニットにおける前記オーラ吸入面、前記オーラ誘導曲面、或いは前記オーラ圧縮錐面の位置には、少なくとも一つのスロット開口が設けられることを特徴とする、請求項１に記載の高機能オーラ集結コリメーター。
【請求項７】
前記オーラ集結視準ユニットの外表面は、更に金属薄膜によって被覆されることを特徴とする、請求項１に記載の高機能オーラ集結コリメーター。
【請求項８】
前記オーラ集結視準ユニットの外表面には、更に電気メッキによって金属薄膜が形成されることを特徴とする、請求項１に記載の高機能オーラ集結コリメーター。
【請求項９】
前記本体は、錐状をなすことを特徴とする、請求項１に記載の高機能オーラ集結コリメーター。
【請求項１０】
前記オーラ集結視準ユニットと前記天然鉱石固定台は、天然鉱石を素材とすることを特徴とする、請求項１に記載の高機能オーラ集結コリメーター。
【考案の詳細な説明】
【技術分野】
【０００１】
本考案は、オーラ集結コリメーターに関し、特にオーラの調整制御、及び転換が可能な、高機能オーラ集結コリメーターに関する。
【背景技術】
【０００２】
存在する全ての物質はオーラを伴っている。オーラの性質は千差万別であるが、最も簡単な分け方は、陰陽に二分するものである。実際の世界上おいて二つのオーラが完全に一致することはなく、オーラの性質と強弱は、事物や周囲の環境に応じて変化する。一つの大きなオーラは、幾つかの小さいオーラが特定の方法に基づいて組合されてなることにより、動的な均衡状態を形成している。隣り合うオーラとオーラの間も、主に絶え間なく排斥と同化を繰り返すという方法によって、互いに影響し合っている。
【０００３】
オーラを有効に活用することで、身体健康上の利点が多く得られる。身体が健康で、自然且つ明るい気持でいれば、運勢も自然とスムーズになる。しかし、一般的なオーラエネルギーは、私たちが生活する空間内で乱反射しており、効果的に活用することは難しい。
【０００４】
一般に市販されている天然鉱石（例えば、水晶・ヒスイ等）は、主に観賞用であり、指輪に嵌め込まれたり、衣服の装飾品として用いられている。或いは、宗教施設に置かれたり、霊的儀式に使用されたりもしている。また、天然鉱石は幸運や金運を呼び込むと信じられており、一部ではオーラを集結するためにも用いられている。従来においてオーラを集結させるために用いられている天然鉱石は、いずれも柱体であるとともに、元々の自然な形状を生かすか、或いは彫刻を施して芸術品として形状を加工されたものであり、オーラ集結効果を向上させるための構造を備えてはいない。
【考案の概要】
【考案が解決しようとする課題】
【０００５】
本考案は、特殊な天然鉱石の構造と、装置や部品を対応させて組合わせることにより、オーラを生じたり強化したりするとともに、乱反射して拡散しているオーラを吸収・集結して、オーラを効果的に活用することができる、高機能オーラ集結コリメーターを提供することを目的とする。
【課題を解決するための手段】
【０００６】
上述の目的を達成するため、本考案の高機能オーラ集結コリメーターには、本体が設けられ、前記本体における錐状の尖端部分には開口が設けられ、前記本体における前記開口の他端には発熱ユニットが設けられる。発熱ユニットには、発熱部品が設けられ、前記発熱部品一端には固定ユニットが設けられ、固定ユニットには、天然鉱石固定台が設けられる。天然鉱石固定台は、天然鉱石の水晶を素材としてなるとともに、天然鉱石固定台内にはオーラ発生部品固定台が設けられる。オーラ発生部品固定台は、オーラ発生部品を固定するために用いられる。更に本体には、制御ユニットが設けられ、前記制御ユニットと前記発熱ユニットは電気的に接続される。本体外部には、前記制御ユニットと電気的に接続された電源接続台が設けられる。本体内に設けられた収容スペースには、オーラ集結視準ユニットが収容される。オーラ集結視準ユニットは、多辺形の角錐状体を呈するとともに、鈍端にはオーラ吸入面が設けられ、対応する尖端にはオーラ射出面が設けられる。オーラ吸入面とオーラ射出面の間には、徐々に細くなる形状のオーラ圧縮錐面が設けられる。オーラ圧縮錐面は、吸収したオーラの圧縮・強化を助けるとともに、オーラ圧縮錐面におけるオーラ吸入面に近い位置にはオーラ誘導曲面が設けられる。オーラ誘導曲面は、オーラの誘導・集結を助ける。前記オーラ吸入面とオーラ射出面は、平面状をなすことにより、オーラの吸入や射出を助け、オーラの集結効果を高める。オーラ吸入面は本体の開口と対応し、オーラ射出面は、固定ユニットのオーラ発生部品と対応する。
【考案の効果】
【０００７】
以上の構造により、本考案は、従来のオーラ集結用の天然鉱石柱体において、オーラ集結効果を向上させるための構造が存在しないという問題を解決することができる。即ち、発熱ユニットがオーラ発生部品を加熱することにより、オーラ発生部品がより多くのオーラエネルギーを生じるとともに、オーラ集結視準ユニットによって生じたオーラエネルギーを吸収・圧縮してオーラ射出面に集めることにより、エネルギーが集中したオーラを集束させて射出することが可能になる、という実用進歩性を達成する。
【図面の簡単な説明】
【０００８】
【図１】本考案の実施例を示した斜視図である。
【図２】本考案の実施例を示した分解斜視図である。
【図３】本考案の実施例１における一部の部品を示した斜視図である。
【図４】本考案の実施例２における一部の部品を示した斜視図である。
【考案を実施するための形態】
【０００９】
（実施例１）（実施例２）
図１〜図４を参照する。図はそれぞれ、本考案の実施例を示した斜視図、分解斜視図、一部の部品を示した斜視図（実施例１、及び実施例２）である。本考案の本体１は、錐状を呈するとともに、本体１における錐状の尖端部には開口が設けられ、本体１における前記錐状の尖端部には更にシリコンカバー８が嵌められ、本体１における開口部の他端には発熱ユニット３が設けられる。発熱ユニット３は、メインＰＣＢ板３３を有し、メインＰＣＢ板３３は発熱部品３１と電気的に接続される。更にメインＰＣＢ板３３と発熱部品３１の間には、少なくとも一つのガスケット３２が設けられ、ガスケット３２によって発熱部品３１がメインＰＣＢ板３３と直接接触することを防ぐ。また上述した発熱部品３１一端には、固定ユニット４が設けられる。固定ユニット４には、水晶等の天然鉱石からなる天然鉱石固定台４２が設けられ、天然鉱石固定台４２内にはオーラ発生部品固定台４１が設けられる。オーラ発生部品固定台４１は、オーラ発生部品５を固定するために用いられる。オーラ発生部品５は、各種天然鉱石が統合されてなる天然鉱石のディスク状体である。更に本体１には、プッシュボタン、調整ツマミ、或いはその他の操作制御構造を備えた制御ユニット２が設けられる。制御ユニット２は、制御部品ＰＣＢ板２２と、本体１外側に設けられた制御部品２１とからなる。制御部品ＰＣＢ板２２と発熱ユニット３のメインＰＣＢ板３３は、電気的に接続される。本体１外側には、更に電源接続台７が設けられる。電源接続台７は、ＤＣプラグ差込口であるとともに、制御部品ＰＣＢ板２２と電気的に接続される。本体１内に設けられた収容スペース（図示せず）には、オーラ集結視準ユニット６が収容される。オーラ集結視準ユニット６は、多辺形の角錐状体（例えば、六角錐状体・十二角錐状体・その他の多辺形の角錐状体）を呈するとともに、天然鉱石（例えば、水晶・金・銀等）を素材とし、且つ鈍端に設けられたオーラ吸入面６１と、尖端に対応して設けられたオーラ射出面６４を有する。オーラ吸入面６１とオーラ射出面６４の間には、徐々に細くなる形状のオーラ圧縮錐面６３が設けられ、オーラ圧縮錐面６３は、吸収したオーラの圧縮・強化を助ける。更に、オーラ圧縮錐面６３におけるオーラ吸入面６１に近い位置には、オーラ誘導曲面６２が設けられ、オーラ誘導曲面６２は、オーラの誘導・集結を助ける。上述したオーラ吸入面６１とオーラ射出面６４は、平面状をなすことにより、オーラの吸入や射出を助けるため、オーラの集結効果を高めることができる。また、オーラ吸入面６１は本体１の開口と対応し、オーラ射出面６４は固定ユニット４のオーラ発生部品５と対応する。図４を参照する。実施例２において、オーラ集結視準ユニット６におけるオーラ吸入面６１、オーラ誘導曲面６２、及びオーラ圧縮錐面６３の位置には、スロット開口６０が設けられる。スロット開口６０は、オーラ集結視準ユニット６に設けられることにより、オーラの集結・視準効果を高める。更にオーラ集結視準ユニット６の外表面は、銀・銅・鉄・ニッケル等・或いはその他の金属を素材とする金属薄膜によって被覆される（或いは電気メッキ加工される）。オーラ集結視準ユニット６は、金属薄膜によって被覆されることにより、同様にオーラの集結・視準効果を高める。
【００１０】
本考案を使用する際は、電源接続台７と電源を電気的に接続させてから、制御ユニット２の制御部品２１を操作することにより、発熱ユニット３の発熱部品３１が熱エネルギーを生じるとともに、固定元件４のオーラ発生部品５が加熱される。オーラ発生部品５は、受容した熱エネルギーによって促進され、より多くのオーラエネルギーを生じる。前記オーラエネルギーは、隣接するオーラ集結視準ユニット６のオーラ吸入面６１によって吸収された後、オーラ誘導曲面６２及びオーラ圧縮錐面６３を経由してオーラ射出面６４に集められて射出される。
【００１１】
また使用時には、本考案の本体１を手に持ち、本体１の開口１０を人体の各経絡やツボの位置に向けることにより、本考案から生じた強いオーラが正確に各経絡やツボに向けて射出され、人体の各種不適応症状に対するケアを行い、更には治療の効果を生じることが可能である。
【００１２】
加えて、オーラ集結視準ユニット６を単独で使用し、身体のツボに刺激を与えることも可能である。露出したオーラ集結視準ユニット６は、上述と同様に周囲で乱反射しているオーラを集結・視準する効果を生じる。以上の使用方法は、単純且つ簡単である。またオーラ集結視準ユニット６の素材は、人工の石英単結晶を用いることも可能である。
【００１３】
よって、本考案の高機能オーラ集結コリメーターは、以下の点において従来技術を改善することができる。即ち、本考案は、本体１が持ち易い形態と美しい造形をなしており、制御ユニット２の操作が簡単である。更に本考案は、効果的なオーラの集結・准直効果を有するとともに、オーラエネルギーを人体に伝えるための経絡ケア道具であり、使用時に体内に侵入する必要がなく、更に全く接触せずともツボから１〜３ｃｍ離れた位置においてツボに照準を合わせて用いれば良い。加えて、オーラエネルギーを備えているため、効果が強く、ケアの際には一つのツボの左右における二点に使用するだけで良い。以上のように、本考案は、簡単・安全・無痛の経絡ケア道具として、理想的な構造を備えている。
【符号の説明】
【００１４】
１            本体
２            制御ユニット
２１   制御部品
２２   制御部品ＰＣＢ板
３            発熱ユニット
３１   発熱部品
３２   ガスケット
３３   メインＰＣＢ板
４            固定ユニット
４１   オーラ発生部品固定台
４２   天然鉱石固定台
５            オーラ発生部品
６            オーラ集結視準ユニット
６０   スロット開口
６１   オーラ吸入面
６２   オーラ誘導曲面
６３   オーラ圧縮錐面
６４   オーラ射出面
７            電源接続台
８            シリコンカバー
【図１】
0003198219.tif 000003
【図２】
0003198219.tif 000004
【図３】
0003198219.tif 000005
【図４】
0003198219.tif 000006